(57)【要約】      （修正有）【課題】小型のクレーンやユニック車を使用しなくても、人力で保管ボックスを開閉できるようにした放射性物質を含む廃棄物の保管ボックスを提供する。【解決手段】底版部２０と周壁部３０と天版部５０とを含むプレキャストコンクリート製の保管ボックス１ａの天版部５０に、放射性物質を含む廃棄物を投入するための投入用開口部５６と、該投入用開口部を開閉する開閉蓋６０とを設ける。その開閉蓋６０は、金属板製の本体部６１と、該本体部６１内にコンクリート製の放射線遮蔽層を形成するための空間と、該空間にコンクリートを注入するための注入口６３とを含み構成されている。【選択図】図１
0003178715.tif 000002
【実用新案登録請求の範囲】
【請求項１】
底版部と周壁部と天版部とを含むプレキャストコンクリート製の保管ボックスであって、天版部又は周壁部に、放射性物質を含む廃棄物を投入するための投入用開口部と、該投入用開口部を開閉する開閉蓋とが設けられた放射性物質を含む廃棄物の保管ボックス。
【請求項２】
プレキャストコンクリート製の底版部及び周壁部と金属製の天版部とを含む保管ボックスであって、天版部に、放射性物質を含む廃棄物を投入するための投入用開口部と、該投入用開口部を開閉する開閉蓋とが設けられた放射性物質を含む廃棄物の保管ボックス。
【請求項３】
金属製の天版部は、コンクリート製の放射線遮蔽層を含む請求項２記載の放射性物質を含む廃棄物の保管ボックス。
【請求項４】
開閉蓋は、コンクリート製の放射線遮蔽層を含む請求項１、２又は３記載の放射性物質を含む廃棄物の保管ボックス。
【請求項５】
開閉蓋は、金属板とコンクリート製の放射線遮蔽層とを含む請求項４記載の放射性物質を含む廃棄物の保管ボックス。
【請求項６】
開閉蓋は、コンクリート製の放射線遮蔽層を形成するための空間と、該空間にコンクリートを注入するための注入口とを含む請求項１、２又は３記載の放射性物質を含む廃棄物の保管ボックス。
【請求項７】
開閉蓋は、金属板製の本体部と、該本体部内にコンクリート製の放射線遮蔽層を形成するための空間と、該空間にコンクリートを注入するための注入口とを含む請求項６記載の放射性物質を含む廃棄物の保管ボックス。
【請求項８】
開閉蓋は、コンクリート製の放射線遮蔽層も、コンクリート製の放射線遮蔽層を形成するための空間も含まない請求項１、２又は３記載の放射性物質を含む廃棄物の保管ボックス。
【請求項９】
開閉蓋は、金属板、ＡＬＣ板、木製板又は樹脂板で形成された請求項８記載の放射性物質を含む廃棄物の保管ボックス。
【請求項１０】
天版部に投入用開口部と開閉蓋とが設けられ、該天版部は付け替え可能に構成され、保管ボックスの内空が満杯になった後に前記天版部に代わって付け替えるための、投入用開口部及び開閉蓋のないプレキャストコンクリート製の天版ブロックを備えた請求項８又は９記載の放射性物質を含む廃棄物の保管ボックス。
【請求項１１】
保管ボックスの内面に沿って遮水シートが敷設された請求項１〜１０のいずれか一項に記載の放射性物質を含む廃棄物の保管ボックス。
【請求項１２】
保管ボックスは、上下に分割して形成された少なくとも２個のプレキャストコンクリート製のブロックを積んで構築され、相対的に低質量のブロックに対する相対的に高質量のブロックの質量比が１〜２である２個のブロックを含む請求項１〜１１のいずれか一項に記載の放射性物質を含む廃棄物の保管ボックス。
【請求項１３】
保管ボックスは、上下に分割して形成された、底版部を含む１個の底版ブロックと、周壁部のみを構成する少なくとも１個の周壁ブロックと、天版部を含む１個の天版ブロックとを積んで構築される請求項１〜１１のいずれか一項に記載の放射性物質を含む廃棄物の保管ボックス。
【考案の詳細な説明】
【技術分野】
【０００１】
本考案は、放射性物質を含む廃棄物の保管設備に関する。
【背景技術】
【０００２】
平成２３年３月１１日に発生した東北地方太平洋沖地震及びそれに伴う津波により、福島第１原子力発電所の原子力発電設備が損傷し、その後に起きた同設備の水素爆発等により、放射性物質が建家外に放出されて各地に飛散した。以来、雨水の流れ込む各地の下水処理施設の汚泥から、相次いで放射性物質が検出されている。
【０００３】
一般に、下水汚泥は、焼却灰を廃棄したり、高温での焼却で生じた溶融スラグをコンクリート骨材として利用したり（特許文献１）、乾燥させた有機物をコンポストや燃料として利用したり（特許文献２，３）して処理されている。しかし、放射性物質を含む下水汚泥は、健康被害の問題があるため、上記のような一般的な処理は困難である。そのため、現状では、放射性物質を含む下水汚泥の処理方法が明確になっておらず、大型土のう袋への収納やシート等の簡易な養生方法のみで一時的に保管されている。しかし、これらの方法では放射線の遮蔽効果をほとんど見込めず、保管時のみならず運搬作業時にも注意が必要である。
【０００４】
また、放射線を遮蔽できるように下水汚泥等の廃棄物を保管する方法としては、５０ｃｍ以上の厚さの覆土による方法が提案されているが、この方法では長期保管中の覆土の維持管理の手間や、廃棄物からの浸出水の処理、地中などへの放射性物質の流出、住民の外見に対する不安などの問題が生じている。また、廃棄物の最終処理方法や搬出先が決まり、移設させる際の掘り起こし時に、廃棄物が周囲に飛散するおそれがあるなどの課題がある。
【先行技術文献】
【特許文献】
【０００５】
【特許文献１】特開平６−２７９０８４号公報
【特許文献２】特開平５−１５５６７８号公報
【特許文献３】特開平９−２４８６００号公報
【考案の概要】
【考案が解決しようとする課題】
【０００６】
そこで、本出願人は、住宅地や、児童公園などの公共用地など、地域のコミュニティ単位の除染で発生する少量の放射性物質を含む下水汚泥、土、雑草、農作物、漁獲物等の廃棄物を、その放射線を遮蔽して安全に保管することができ、また必要に応じて長期に保管することもできる保管ボックスを開発した。
【０００７】
その保管ボックスは、水平方向に延びる底版部と、該底版部の外縁部から起立した四角枠状の周壁部とが一体形成されたコンクリート製の本体ブロックと、該周壁部の上方開口を塞ぐコンクリート製の天版ブロックとからなる。そして、本体ブロックの内空に廃棄物を収納した後、その上に天版ブロックを載置して金具で固定する。 これにより、保管ボックスの内部に収納した廃棄物からの放射線をコンクリートで遮蔽する。
【０００８】
この保管ボックスの質量は、一個あたり約５．９ｔであり、そのうち本体ブロックの質量は約４．６ｔである。そのため、本体ブロックの輸送には、大型の運搬車両（１０ｔ積車両程度）が必要となる。また、 本体ブロックを所定の位置に設置する設置作業には、最低でも１５ｔ以上の吊上げ能力を有する大型のクレーンを使用する必要がある。
【０００９】
しかし、保管ボックスを設置する住宅地や児童公園などの公共用地の中には、進入道路の道幅が狭く、大型の運搬車両や大型のクレーンの進入が出来ない地域や、用地面積が狭いため設置個所の周囲に大型のクレーンの作業エリアを確保できない地域などがある。 
【００１０】
また、地域のコミュニティ単位の除染では、廃棄物の発生量は少量であることから、保管ボックスを満杯にするためには、保管ボックスの天版ブロックを複数回開閉して廃棄物を追加投入する必要がある。しかし、保管ボックスの天版ブロックの質量は約１．３ｔであるため、天版ブロックの開閉を人力で行うことは困難であり、少なくとも小型のクレーンやユニック車を使用する必要がある。
【００１１】
そこで、小型のクレーン又はユニック車を使用しなくても、人力で保管ボックスを開閉できるようにすることを第一の目的とし、大型の運搬車両と大型のクレーンとを使用しなくても、小型の運搬車両と小型のクレーンとで、又はユニック車で保管ボックスを運搬・設置できるようにすることを第二の目的とする。
【課題を解決するための手段】
【００１２】
上記第一の目的を達成するため、本考案の［ｉ］の放射性物質を含む廃棄物の保管ボックスは、底版部と周壁部と天版部とを含むプレキャストコンクリート製の保管ボックスであって、天版部又は周壁部に、放射性物質を含む廃棄物を投入するための投入用開口部と、該投入用開口部を開閉する開閉蓋とが設けられている。
【００１３】
また、同目的を達成するため、本考案の［ii］の放射性物質を含む廃棄物の保管ボックスは、プレキャストコンクリート製の底版部及び周壁部と金属製の天版部とを含む保管ボックスであって、天版部に、放射性物質を含む廃棄物を投入するための投入用開口部と、該投入用開口部を開閉する開閉蓋とが設けられている。
【００１４】
上記［ii］の考案において、金属製の天版部の材質や厚さは、特に限定されず、例えば廃棄物の放射線量に応じてそれを十分に遮蔽できる程度に決定することができる。例えば、放射線量が低い場合には鋼板製とし、放射線量が高い場合には、厚鋼板製、鋼板とコンクリート板との組み合わせ、鋼板と鉛板との組み合わせ等とする、等である。好ましくは、金属製の天版部は、コンクリート製の放射線遮蔽層を含むことである。開閉蓋の具体的な遮蔽性能は、特に限定されないが、各ブロックの遮蔽性能の１０〜１００％の遮蔽性能であることが好ましい。
【００１５】
上記［ｉ］［ii］の考案において、開閉蓋の材質や厚さは、特に限定されず、例えば廃棄物の放射線量に応じてそれを十分に遮蔽できる程度に決定することができる。例えば、放射線量が低い場合には鋼板製とし、放射線量が高い場合には、プレキャストコンクリート製、厚鋼板製、鋼板とコンクリート板との組み合わせ、鋼板と鉛板との組み合わせ等とする、等である。開閉蓋の具体的な遮蔽性能は、特に限定されないが、各ブロックの遮蔽性能の１０〜１００％の遮蔽性能であることが好ましい。
【００１６】
開閉蓋の具体的態様として、次の［１］〜［３］の態様を例示する。
［１］開閉蓋は、コンクリート製の放射線遮蔽層を含む態様。より具体的には、開閉蓋は、金属板とコンクリート製の放射線遮蔽層とを含む態様を例示する。
【００１７】
［２］開閉蓋は、コンクリート製の放射線遮蔽層を形成するための空間と、該空間にコンクリートを注入するための注入口とを含む態様。より具体的には、開閉蓋は、金属板製の本体部と、該本体部内にコンクリート製の放射線遮蔽層を形成するための空間と、該空間にコンクリートを注入するための注入口とを含む態様を例示する。
【００１８】
［３］開閉蓋は、コンクリート製の放射線遮蔽層も、コンクリート製の放射線遮蔽層を形成するための空間も含まない態様。より具体的には、開閉蓋は、金属板、ＡＬＣ板、木製板又は樹脂板で形成された態様を例示する。
【００１９】
上記の［３］の態様において、天版部は、特に限定されないが、天版部に投入用開口部と開閉蓋とが設けられ、該天版部は付け替え可能に構成され、保管ボックスの内空が満杯になった後に前記天版部に代わって付け替えるための、投入用開口部及び開閉蓋のないプレキャストコンクリート製の天版ブロックを備えていることが好ましい。付け替えることにより、満杯になった後は、投入用開口部及び開閉蓋の部分から放射線が漏れ易くなるのを防止することができるからである。
【００２０】
保管ボックスの内空は、特に限定されないが、保管ボックスの内面に沿って遮水シートが敷設されていることが好ましい。放射性物質に汚染された浸出水の流出を防止することができるからである。
【００２１】
遮水シートとしては、特に限定されないが、ポリエチレン樹脂、ポリ塩化ビニル等の樹脂よりなるシート、ポリエチレン系エラストマー等のエラストマーよりなるシートを例示できる。また、遮水シートとして、防水性能及び吸着性能を持つ粘土鉱物（ベントナイト）をシート状に形成したものを用いることもできる。
【００２２】
遮水シートの敷設は、特に限定されないが、ボックス状ブロックの内壁に、表面に熱溶着材を備えたシート固定具を取り付け、遮水シートを、該熱溶着材に溶着固定して敷設することが好ましい。遮水シートのずれや剥離が防止されるからである。
【００２３】
上記第二の目的を達成するため、次の［１］又は［２］の態様を採用することが好ましい。
［１］保管ボックスは、上下に分割して形成された少なくとも２個のプレキャストコンクリート製のブロックを積んで構築され、相対的に低質量のブロックに対する相対的に高質量のブロックの質量比が１〜２である２個のブロックを含む態様。
【００２４】
［２］保管ボックスは、上下に分割して形成された、底版部を含む１個の底版ブロックと、周壁部のみを構成する少なくとも１個の周壁ブロックと、天版部を含む１個の天版ブロックとを積んで構築される態様。
【００２５】
このような保管ボックスの製造方法としては、既存の型枠に仕切り板を入れることによって上記のように分割形成してもよいし、新たに分割形成用の型枠を製作してもよい。
【００２６】
各ブロックの具体的な質量は、特に限定されないが、１〜２ｔであることが好ましい。１ｔ以下だとブロックの分割が細かくなり過ぎる一方、２ｔ以上だと、小型の運搬車両や小型のクレーンで保管ボックスを運搬・設置できないおそれがあるからである。
【００２７】
保管ボックスの内空のサイズは、特に限定されないが、保管量と運搬・設置するのに適したブロック質量とのバランスからすると、内空の幅、長さ及び高さの各サイズは８００〜２０００ｍｍとすることが好ましい。
【００２８】
各ブロックのコンクリート厚さ(以下、単に「部材厚」)は、放射線量の減衰性能と運搬・設置するのに適したブロック質量とのバランスからすると、１０〜５０ｃｍとすることが好ましい。１０ｃｍ未満では放射線量の減衰性能が低くなる一方、５０ｃｍを超えると放射線量の減衰性能はそれ以上あまり高くならないのに重くなるからである。具体的には、例えば、厚さ１２ｃｍの場合には放射線量を７５％程度減衰させることができ、厚さ１５ｃｍの場合には放射線量を８０％程度減衰させることができ、厚さ２０ｃｍの場合には放射線量を９０％程度減衰させることができ、厚さ４０ｃｍの場合には放射線量を９９％程度減衰させることができる。
【００２９】
各ブロックどうしの接合部は、特に限定されないが、上下のブロック間にできる隙間は、全て、ボックスの内面から外面まで一直線とならないようにその途中で曲がっていることが好ましい。廃棄物から放射される放射線は、直進する性質があり、該空隙が内面から外面まで一直線となっていると、該空隙を通って外部に漏出するおそれがあるが、該空隙が内面から外面まで一直線とならないように曲がっていると、必ずコンクリート部分を通過して減衰するからである。
【００３０】
各ブロックどうしの連結は、特に限定されないが、積まれた少なくとも上下に隣接する２つのブロックが連結金具により連結されることが好ましい。２つのブロックを安定に連結することができるからである。また、更に、積まれた全てのブロックが連結金具により連結されることがより好ましい。全てのブロックを安定に連結することができるからである。
【００３１】
放射性物質を含む廃棄物としては、特に限定されないが、下水汚泥、土、雑草、農作物、漁獲物等を例示できる。このうち下水汚泥の状態は、特に限定されず、脱水した下水汚泥、焼却した下水汚泥の焼却灰、焼却した下水汚泥の溶融スラグのいずれでもよい。また、廃棄物は、裸の状態でもよいが、移設の容易性の点からは、袋、箱等の容器に入れられたものであることが好ましい。
【考案の効果】
【００３２】
［ｉ］［ii］の本考案によれば、天版部又は周壁部に投入用開口部及び開閉蓋があるので、小型のクレーン又はユニック車で天版部等を開かなくても、人力で開閉蓋を開いて投入用開口部から保管ボックスの内空に廃棄物を投入することができる。そのため、随時発生する少量の廃棄物を作業効率よく回収保管することができる。
【図面の簡単な説明】
【００３３】
【図１】実施例１の保管ボックスを示す斜視図である。
【図２】実施例１の保管ボックスを示す分解斜視図である。
【図３】（ａ）は、実施例１の保管ボックスを示す平面図、（ｂ）は、正面図である。
【図４】（ａ）は、実施例１の保管ボックスを示す平面断面図、（ｂ）は、正面断面図である。
【図５】実施例１の保管ボックスを設置する手順を（ａ）〜（ｆ）に示す斜視図である。
【図６】実施例１の保管ボックスを設置する続きの手順を（ｇ）（ｈ）に示す正面断面図である。
【図７】実施例１の保管ボックスを段数を変えて設置した際を（ａ）〜（ｄ）に示す斜視図である。
【図８】実施例２の保管ボックスを示す斜視図である。
【図９】（ａ）は、実施例２の保管ボックスを示す平面図、（ｂ）は、正面図である。
【図１０】（ａ）は、実施例２の保管ボックスを示す平面断面図、（ｂ）は、正面断面図である。
【図１１】（ａ）は、実施例３の保管ボックスを示す正面断面図、（ｂ）は、実施例４の保管ボックスを示す正面断面図である。
【図１２】（ａ）は、実施例５の保管ボックスに廃棄物が満杯になる前の廃棄物投入時を示す正面断面図、（ｂ）は、満杯になった後の廃棄物保管時を示す正面断面図である。
【図１３】実施例６の保管ボックスを示す斜視図である。
【考案を実施するための形態】
【実施例１】
【００３４】
図１〜図７に示す実施例１の放射性物質を含む廃棄物の保管ボックス１ａは、水平方向に延びる底版部２と、該底版部２の外縁部から起立した四角枠状の周壁部３と、該周壁部３の上方開口を塞ぐ天版部５とからなり、次に示す底版ブロック２０と、複数個の周壁ブロック３０，３０と、天版ブロック５０とに分割形成されている。そして、各ブロックには、補強鉄筋（図示略）が埋設されている。また、この保管ボックス１ａの内空には、遮水シート４０が設けられている。
【００３５】
底版ブロック２０は、プレキャストコンクリート製の四角板状のブロックであって、その上面には、外縁部から起立した四角枠状の周壁下部２３が設けられている。その周壁下部２３の四隅には、連結金具１１の先端を螺着させるための連結金具螺着穴２１が設けられている。この底版ブロック２０の質量は、１．６ｔ程度である。
【００３６】
そして、周壁下部２３の上面は、最下段の周壁ブロック３０の下面に次のようにして接合している。すなわち、周壁下部２３の上面と最下段の周壁ブロック３０の下面との互いに近接（当接を含む。部材精度の限界上、当接であっても空隙はできる。）した近接面の間にできる空隙が全て周壁部３の内面から外面まで一直線とならないように、周壁下部２３の内縁に沿って上方に突設された内縁突起部ｐが、最下段の周壁ブロック３０の下面の外縁に沿って下方へ突設された外縁突起部ｑの内側に嵌まるようにして接合している。この接合により、底版ブロック２０と周壁ブロック３０との間の空隙に放射線がかかっても必ずコンクリート部を通過して減衰するようになっている。また、底版ブロック２０の周壁下部２３の内縁突起部ｐがその外周側よりも上方へ突出していることから、周壁部３の外部から空隙に入った水は内縁突起部ｐを越えられず内縁突起部ｐの手前で止められる。そのため、雨水等の水が空隙から保管ボックス１ａの内空に入り難くなっている。また、底版ブロック２０と周壁ブロック３０との間にはパッキン（図示略）が介装されている。そして、これらのことは、上下に並ぶ周壁ブロック３０，３０どうしの接合部、及び最上段の周壁ブロック３０と天版ブロック５０との接合部においても同様である。
【００３７】
各周壁ブロック３０は、プレキャストコンクリート製の四角筒状のブロックであって、その四隅には、連結金具１１を挿通させるための連結金具挿通孔３１が設けられている。また、各周壁ブロック３０の下端部には、外縁に沿って前述の外縁突起部ｑが突設され、上端部には、底版ブロック２０の周壁下部２３と同様、内縁に沿って内縁突起部ｐが形成されている。また、最上段の周壁ブロック３０の辺方向中間部には、別の連結金具１２の先端部を螺着させるための連結金具螺着穴３２が設けられている。各周壁ブロック３０の質量は、１．４ｔ程度である。
【００３８】
遮水シート４０は、保管ボックス１ａの内空の内周面に沿って敷設されるシートであって、その内部には、角型フレキシブルコンテナバッグ４５が入れられている。遮水シート４０の材質は、特に限定されないが、ポリエチレン樹脂、ポリ塩化ビニル等の樹脂や、ポリエチレン系エラストマー等のエラストマーを例示できる。また、遮水シート４０として、防水性能及び吸着性能を持つ粘土鉱物（ベントナイト）をシート状に形成したものを用いることもできる。
【００３９】
天版ブロック５０は、最上段の周壁ブロック３０の開口を塞ぐプレキャストコンクリート製の四角板状のブロックであって、その四隅には、連結金具１１を挿通させるための連結金具挿通孔３１が設けられ、辺方向中間部には、別の連結金具１２を挿通させるための別の連結金具挿通孔３２が設けられている。また、天版ブロック５０の略中央には、四角形の投入用開口部５６が設けられている。投入用開口部５６の一辺の長さは、周壁ブロック３０の内縁の一辺の長さ以下であれば特に限定されないが、３０〜１００ｃｍが好ましい。３０ｃｍ未満では投入しにくくなり、１００ｃｍを超えると必要以上に大きくなるからである。この天版ブロック５０の質量は、１．１ｔ程度である。
【００４０】
以上に示した各ブロック２０，３０，３０，５０は、底版ブロック２０の上に複数個の周壁ブロック３０，３０が積まれ、最上段の周壁ブロック３０の上に天版ブロック５０が積まれた状態で、連結金具１１が、天版ブロック５０の四隅の連結金具挿通孔５１と周壁ブロック３０，３０の連結金具挿通孔３１，３１・・とに挿通されたのち、底版ブロック２０の連結金具螺着穴２１に螺着されることにより接続される。また、天版ブロック５０と最上段の周壁ブロック３０とについては、別の連結金具１２が、天版ブロック５０の辺方向中間部の別の連結金具挿通孔５２に挿通されたのち、最上段の周壁ブロック３０の連結金具螺着穴３２に螺着させることにより連結強化される。
【００４１】
天版ブロック５０の投入用開口部５６には、投入用開口部５６より一回り大きい防錆メッキ鋼板製の開閉蓋６０の下方への突出部６５が投入用開口部５６に取り外し可能に嵌合しており、これにより、投入用開口部５６が開閉可能となっている。その開閉蓋６０は、金属板製の本体部６１と、該本体部６１内のコンクリート製の放射線遮蔽層６２を形成するための空間Ｓと、該空間ＳにコンクリートＣを注入するための注入口６３と、取っ手６４，６４とを含み構成されている。そして、本体部６１と投入用開口部５６の周辺部との間には、防水パッキン（図示略）が介装されている。また、開閉蓋６０は、本体部６１の外縁部をボルト６６，６６・・で天版ブロック５０に螺着できるようになっている。そのため、開閉蓋６０は、投入用開口部５６を閉じた状態で天版ブロック５０に固定できる。
【００４２】
本実施例１の保管ボックス１ａは、次の手順で設置する。
［１］まず、保管ボックス１ａを、各ブロック２０，３０，３０，５０に分離した分離体の状態で設置個所の周辺に運んでから、図５（ａ）に示すように、設置個所に底版ブロック２０を置く。
【００４３】
［２］次に、図５（ｂ）に示すように底版ブロック２０の周壁下部２３の上に周壁ブロック３０，３０を必要な段数だけ積む。必要な段数は、設置個所の面積や廃棄物の量に応じて算出する。
【００４４】
［３］次に、図５（ｃ）に示すように、底版ブロック２０及び周壁ブロック３０，３０の内側に遮水シート４０を設置する。その遮水シート４０は、シート固定具３４を用いて張る。すなわち、周壁ブロック３０の内面の要所に埋設された、例えば雌ネジよりなるアンカー（図示略）には、金属円盤とその表面に付着された熱溶着材とを備えたシート固定具３４が、例えばボルトにより固定されている。シート固定具３４としては、例えばアーキヤマデ社製の商品名「ＩＨディスク」を用いることができる。そして、遮水シート４０を、シート固定具３４の熱溶着材に溶着固定する。
【００４５】
［４］次に、図５（ｄ）に示すように、最上段の周壁ブロック３０の上に天版ブロック５０を重ねてから、図５（ｅ）に示すように、天版ブロック５０と周壁ブロック３０，３０と底版ブロック２０との四隅を連結金具１１，１１・・で連結する。また、それとともに、天版ブロック５０と最上段の周壁ブロック３０との辺方向中間部を別の連結金具１２，１２・・で連結する。
【００４６】
［５］次に、図５（ｆ）に示すように、天版ブロック５０の投入用開口部５６から廃棄物を投入する。このとき、例えば、コミュニティ内又は個人単位で、放射性物質を含む土、雑草、農作物、漁獲物等の廃棄物（持ち運びが楽なように、重量３０ｋｇ以下が好ましい。）を土嚢等の袋８，８・・に入れて回収し、開閉蓋６０を開いて投入用開口部５６から袋８，８・・を保管ボックス１ａ内に投入する。投入後は、開閉蓋６０で投入用開口部５６を閉じる。
【００４７】
［６］そして、保管ボックス１ａの内空が満杯になった際には、図６（ｇ）に示すように、注入口６３から開閉蓋６０の金属製の本体部６１の内部の空間ＳにコンクリートＣを注入する。これによって、図６（ｈ）に示すように、開閉蓋６０の金属製の本体部６１の内部に、コンクリート製の放射線遮蔽層６２が形成される。なお、この［６］の作業の代わりに、天版ブロック５０を、投入用開口部５６のないプレキャストコンクリート製の天版ブロックに付け替えてもよい。
【００４８】
本実施例１の保管ボックス１ａによれば、次の［Ａ］〜［Ｇ］の効果を得ることができる。
［Ａ］底版部と周壁部とが一体形成された本体ブロックを有する従来の保管ボックスでは、その本体ブロックの運搬・設置に大型の運搬車両及び大型のクレーンが必要であったが、本実施例１では、その本体ブロックにあたる部分が底版ブロック２０と複数段の周壁ブロック３０，３０とに分割されているため、各ブロックが小型、軽量になっている。そのため、大型の運搬車両を使用しなくても、分けて運べば小型の運搬車両で保管ボックス１ａを運搬することができる。そのため、設置個所の周辺に狭い道しかない場合にも保管ボックス１ａを設置できる。また、各ブロックが小型、軽量になっているため、大型のクレーンを使用しなくても、小型のクレーンやユニック車でも保管ボックス１ａを設置することができる。そのため、設置個所の周辺に大型のクレーンの作業エリアを確保できない場合にも保管ボックス１ａを設置できる。。
【００４９】
［Ｂ］図７（ａ）〜（ｄ）に示すように、周壁ブロック３０，３０の組み上げ高さ（段数）を変えることにより、コミュニティから排出される汚染廃棄物の量に応じて保管ボックス１ａの容量を組み替えることができる。
【００５０】
［Ｃ］従来の投入用開口部５６のない保管ボックスでは、保管ボックス１ａの内空に廃棄物を追加投入する度ごとに小型のクレーンやユニック車で天版ブロック５０を開く必要があったが、本実施例１では、天版ブロック５０に投入用開口部５６及び開閉蓋６０があるので、周壁ブロック３０の上端に天版ブロック５０を連結したままの状態で、人力で開閉蓋６０を開いて投入用開口部５６から保管ボックス１ａの内空に廃棄物（袋８）を投入することができる。そのため、随時発生する少量の廃棄物を作業効率よく回収保管することができる。
【００５１】
［Ｄ］保管ボックス１ａの内空に廃棄物（袋８）が満杯になった際には、上記［６］に示すように、開閉蓋６０の内部の空間ＳにコンクリートＣを注入するか、天版ブロック５０を、投入用開口部５６のないプレキャストコンクリート製の天版ブロックに付け替えるため、満杯になった後は、投入用開口部５６及び開閉蓋６０の部分から放射線が漏れ易くなるのを防止することができる。
【００５２】
［Ｅ］保管ボックス１ａが満杯になった際には、天版ブロック５０を開いて保管ボックス１ａの内空の廃棄物を回収することも可能であり、回収ごみの要領で、保管ボックス１ａを継続して長期間を利用できる。よって、廃棄物がコミュニティ内又は個人単位で取り扱われる場合であって、かつ、放射線量が比較的低い場合に、特に適している。
【００５３】
［Ｆ］底版ブロック２０、周壁ブロック３０，３０及び天版ブロック５０のコンクリート厚さに応じた減衰性能で放射線量を減衰させることができるため、廃棄物（袋８）を、放射線を遮蔽して安全に保管することができる。また、各ブロックの接合にあたって近接する箇所においても、空隙が曲がっているため、放射線を確実に遮蔽することができる。また、コンクリートの底版ブロック２０、周壁ブロック３０，３０及び天版ブロック５０は堅牢であるため、必要に応じて放射性物質を含む廃棄物を長期に保管することもできる。また、内部に保管する廃棄物の放射線量によって遮蔽構造を選択できるため、経済的な仕様となる。
【００５４】
［Ｇ］遮水シート４０により、外部環境と水密に隔てることができるため、廃棄物からの放射性物質に汚染された浸出水の漏出を防止できる。また、コンクリート製の底版ブロック２０、周壁ブロック３０，３０及び天版ブロック５０が遮水シート４０を保護するため、地震等があっても遮水シート４０に亀裂が入りにくく、遮水性が維持される。また、遮水シート４０が、シート固定具３４の熱溶着材に溶着固定されるので、地震等があっても遮水シート４０のずれや剥離が起こらず、信頼性が高い。
【実施例２】
【００５５】
図８〜１０に示す本実施例３の保管ボックス１ｂは、実施例１の保管ボックス１ａと比較して、天版ブロック５０に投入用開口部５６及び開閉蓋６０がなく、代わりに、周壁ブロック３０，３０・・に投入用開口部３７及び開閉蓋７０がある点で相違し、その他の点で同様である。
【００５６】
詳しくは、上下に並ぶ２つの周壁ブロック３０，３０の正面の略中央には、双方に跨って四角形の投入用開口部３７が設けられている。その投入用開口部３７の縁に、防錆メッキ鋼材を四角枠状に接合してなるフレーム７７が取り付けられ、フレーム７７の対向する二辺に二枚の開閉蓋７０，７０が蝶番により蝶着され、開閉蓋７０，７０を観音開きすることにより投入用開口部３７が開閉可能となっている。
【００５７】
各開閉蓋７０は、金属板（防錆メッキ鋼板）製の本体部７１と、該本体部７１内の空間にコンクリートＣが注入されてなる放射線遮蔽層７２と、取っ手７４，７４とを含み構成されている。そして、両開閉蓋７０，７０は、投入用開口部３７を閉じた状態で施錠できるようになっている。また、フレーム７７と投入用開口部３７の周辺部との間、及びフレーム７７と開閉蓋７０，７０の外縁部との間には、防水パッキン（図示略）が介装されている。
【００５８】
本実施例２によれば、実施例１に記載の［Ａ］［Ｂ］［Ｅ］［Ｆ］［Ｇ］の効果と、次の［Ｃ２］［Ｄ２］の効果を得ることができる。
［Ｃ２］従来の投入用開口部３７のない保管ボックスでは、保管ボックス１ｂの内空に廃棄物を追加投入する度ごとに小型のクレーンやユニック車で天版ブロック５０を開く必要があったが、本実施例１では、周壁ブロック３０に投入用開口部３７及び開閉蓋７０，７０があるので、周壁ブロック３０の上端に天版ブロック５０を連結したままの状態で、人力で開閉蓋７０，７０を開いて投入用開口部３７から保管ボックス１ｂの内空に廃棄物（袋８）を投入することができる。そのため、随時発生する少量の廃棄物を作業効率よく回収保管することができる。
【００５９】
［Ｄ２］開閉蓋７０，７０に放射線遮蔽層７２，７２があるため、該開閉蓋７０，７０から放射線が漏れ易くなる心配がない。また、本実施例２では、開閉蓋７０，７０を上方にではなく前方に開くため、このように開閉蓋７０，７０の内部にコンクリート製の放射線遮蔽層７２，７２が形成されて開閉蓋７０，７０が重くなった場合にも、開閉蓋７０，７０を人力で開くことができる。
【実施例３】
【００６０】
図１１（ａ）に示す本実施例３の保管ボックス１ｃは、実施例２の保管ボックス１ｂと比較して、底版ブロック２０がその外縁部に周壁下部２３を備えない点、すなわち、底版ブロック２０が、底版部２のみ含み、周壁部３の下部を含まない点で相違し、その他の点で同様である。本実施例３によっても、実施例２と同様、［Ａ］［Ｂ］［Ｃ２］［Ｄ２］［Ｅ］［Ｆ］［Ｇ］の効果を得ることができる。
【実施例４】
【００６１】
図１１（ｂ）に示す本実施例４の保管ボックス１ｄは、実施例２の保管ボックス１ｂと比較して、天版ブロック５０がその外縁部に下方に突出した周壁上部５３を備えていない点、すなわち、天版ブロック５０が、天版部５と周壁部３の上部とを含み構成されている点で相違し、その他の点で同様である。本実施例４によっても、実施例２と同様、［Ａ］［Ｂ］［Ｃ２］［Ｄ２］［Ｅ］［Ｆ］［Ｇ］の効果を得ることができる。
【実施例５】
【００６２】
図１２に示す本実施例５の保管ボックス１ｅは、実施例１の保管ボックス１ａと比較して、天版ブロック５０がコンクリート製ではなく金属製である点、開閉蓋６０が、コンクリート製の放射線遮蔽層６２もその層を形成するための空間Ｓも含まない点、及び保管ボックス１ｅの内空が満杯になった後には、［６］の作業の代わりに、金属製の天版ブロック５０を投入用開口部５６及び開閉蓋６０のないプレキャストコンクリート製の天版ブロック５０’に付け替える点で相違し、その他の点で同様である。本実施例５によっても、実施例１と同様、［Ａ］〜［Ｇ］の効果を得ることができる。
【実施例６】
【００６３】
図１３に示す本実施例６の保管ボックス１ｆは、実施例２の保管ボックス１ｂと比較して、底版部２及び周壁部３が一体形成されている点で相違し、その他の点で同様である。本実施例６によれば、実施例１に記載の［Ｃ］〜［Ｇ］の効果を得ることができる。
【００６４】
なお、本考案は前記実施例の構成に限定されず、考案の趣旨から逸脱しない範囲で適宜変更して具体化することもできる。
【符号の説明】
【００６５】
１ａ  保管ボックス（実施例１）
１ｂ  保管ボックス（実施例２）
１ｃ  保管ボックス（実施例３）
１ｄ  保管ボックス（実施例４）
１ｅ  保管ボックス（実施例５）
１ｆ  保管ボックス（実施例６）
２    底版部
３    周壁部
５    蓋部
８    袋（廃棄物）
１１    連結金具
１２    連結金具
２０    底版ブロック
３０    周壁ブロック
３７    投入用開口部
４０    遮水シート
５０    蓋ブロック
５６    投入用開口部
６０    開閉蓋
６１    開閉蓋の本体部
６２    開閉蓋の放射線遮蔽層
６３    開閉蓋の注入口
７０    開閉蓋
７１    開閉蓋の本体部
７２    開閉蓋の放射線遮蔽層
【図１】
0003178715.tif 000003
【図２】
0003178715.tif 000004
【図３】
0003178715.tif 000005
【図４】
0003178715.tif 000006
【図５】
0003178715.tif 000007
【図６】
0003178715.tif 000008
【図７】
0003178715.tif 000009
【図８】
0003178715.tif 000010
【図９】
0003178715.tif 000011
【図１０】
0003178715.tif 000012
【図１１】
0003178715.tif 000013
【図１２】
0003178715.tif 000014
【図１３】
0003178715.tif 000015